(57)【要約】【課題】ホースを傷めることなくホースの流路を挟持し止水を行うことができ、また、ホースの流路の開閉操作が容易に行うことが可能で、流水量を目視で確認しながら調整可能な、非常に操作性に優れたホース把持具を提供することを目的とする。【解決手段】給水手段１１から延在する柔軟性と弾力性を保有するホース３の流路を開閉するホース把持具１であって、前記ホース把持具１は、一対の握り部２ａ、２ｂと、ホース３を直接挟む一対の挟持部４ａ、４ｂと、から構成され、該一対の握り部２ａ、２ｂを閉じた際に、該一対の挟持部４ａ、４ｂの間にはホース３の肉厚よりもやや狭い隙間５が形成されており、また、該握り部２ａ、２ｂには、該一対の挟持部４ａ、４ｂの間に形成された隙間５を保持するための保持手段８ａ、８ｂ、８ｃが備えてあることを特徴とする。【選択図】        図１
2004190687.tif 000002
【特許請求の範囲】
【請求項１】
給水手段（１１）から延在する柔軟性と弾力性を保有するホース（３）の流路を開閉するホース把持具（１）であって、前記ホース把持具（１）は、一対の握り部（２ａ、２ｂ）と、ホース（３）を直接挟む一対の挟持部（４ａ、４ｂ）と、から構成され、該一対の握り部（２ａ、２ｂ）を閉じた際に、該一対の挟持部（４ａ、４ｂ）の間にはホース（３）の肉厚よりもやや狭い隙間（５）が形成されており、また、該握り部（２ａ、２ｂ）には、該一対の挟持部（４ａ、４ｂ）の間に形成された隙間（５）を保持するための保持手段（８ａ、８ｂ、８ｃ）が備えてあることを特徴とするホース把持具。
【請求項２】
前記一対の握り部（２ａ、２ｂ）には、握り部の閉まる範囲を規制するためのストッパー（９ａ、９ｂ、９ｃ）が備えてあることを特徴とする請求項１記載のホース把持具。
【請求項３】
前記一対の挟持部（４ａ、４ｂ）には、保護部材（６）が備えてあることを特徴とする請求項１又は２記載のホース把持具。
【請求項４】
前記一対の握り部（２ａ、２ｂ）には、バネ（７）が備えてあることを特徴とする請求項１、２又は３記載のホース把持具。
【請求項５】
前記一対の握り部（２ａ、２ｂ）の少なくとも一方は、指が挿入できるような略リング形状をしていることを特徴とする請求項１，２、３又は４記載のホース把持具。
【発明の詳細な説明】
【０００１】
【発明が属する技術分野】
本発明は、柔軟性と弾力性を保有するホースの流路を開閉するためのホース把持具に関するものである。
【０００２】
【従来の技術】
ホースの流路を開閉することで液体の流水及び止水を可能にするものとしては、例えば、ホースの先端部分を折り曲げクリップ止めすることで止水し、クリップを取り外すことで流水を行うもの、ホースの先端部分に締付具を備え締付具を締め付け挟持することで止水し、締付具を緩めることで流水を行うもの、また、ホースの先端にキャップやコルク等の栓体を嵌め込むことで止水し、栓体を取り外すことで流水を行う等が挙げられる。しかし、構造が単純であるため、強固に止水ができず液漏れをしてしまったり、また、止水することに重点を置いているものでは、ホースに無理が掛かりホースを傷めてしまったり、さらに、開閉操作が容易に行うことができず、流出量の微調整もできない等の問題があった。
【０００３】
【発明が解決しようとする課題】
そこで、本発明は、ホースを傷めることなくホースの流路を挟持し止水を行うことができ、また、ホースの流路の開閉操作を容易に行うことが可能で、流水量を目視で確認しながら調整可能な非常に操作性に優れたホース把持具を提供することを目的とする。
【０００４】
【課題を解決するための手段】
上記目的を解決するために、本発明のうち請求項１記載の発明は、給水手段から延在する柔軟性と弾力性を保有するホースの流路を開閉するホース把持具であって、前記ホース把持具は、一対の握り部と、ホースを直接挟む一対の挟持部と、から構成され、該一対の握り部を閉じた際に、該一対の挟持部の間にはホースの肉厚よりもやや狭い隙間が形成されており、また、該握り部には、該一対の挟持部の間に形成された隙間を保持するための保持手段が備えてあることを特徴とする。
ここで、給水手段の供給するものは、液体であれば特に問わず、例えば、飲料水や植木、観賞用水槽、花器に用いる水はもちろんのこと、調合肥料や工業用の調整剤、更には灯油等が挙げられる。また、保持手段とは、一対の挟持部の間に形成された隙間を保持することができる全ての手段を含み、例えば握り部の一方にフックを取付け他方に掛け止めることで保持するもの等が挙げられる。
【０００５】
このように構成すれば、一対の握り部を閉じることによって一対の挟持部が閉じてホースを挟みホースの流路を閉じ、一対の握り部を開くことによってホースの流路が開くため、ホースの流路の開閉操作を容易に行うことが可能であるため、給水手段から供給される液体の流出量の調整を目視で確認しながら任意且つ無駄なく行うことができる。また、一対の握り部を閉じることによって一対の挟持部が閉じるが、その際、一対の挟持部の間にホースの肉厚よりやや狭い隙間が形成されているため、ホースを挟持部で挟んだ場合でも、ホースを過度に締め付けることを防ぎホースを傷めることなく且つ確実に流路を挟持することが可能であり、給水手段から供給される液体が漏れることを防ぐことができる。さらに、握り部に一対の挟持部の間に形成される隙間を保持するための保持手段を備えているため、ホースを傷めることなく挟持状態を確実に保持することができる。ホースに関しては、柔軟性と弾力性を保有するホースであれば特に問わないが、ホース把持具を備える部分には操作性をより一層容易且つ快適にするためにシリコンホースを使用することが望ましい。
【０００６】
請求項２記載の発明のように、一対の握り部に握り部の閉まる範囲を規制するストッパーを備えることによって、握り部を閉じて挟持部でホースを挟持する際に、一対の挟持部の間に形成される隙間が狭まり過ぎて、ホースを過度に締め付けることを防ぐことが可能であるため、ホースを傷めることを確実に防ぐことができる。ストッパーに関しては、ホースが過度に締め付けられることを防ぐことが可能であれば特に問わないが、ストッパー部材を握り部の内側に突設させたり、各握り部の対向する少なくとも一部分を当接させて握り部の閉まる範囲を規制することが望ましい。
【０００７】
請求項３記載の発明のように、一対の挟持部に保護部材を備えることによって、挟持部でホースを挟み保持する際に、挟持部とホースの当接部においてホースを傷めることをより一層確実に防ぐことができる。保護部材に関しては、特に問わないが、少なくともホースと挟持部が当接する部分に軟性樹脂等を被覆することが望ましい。
【０００８】
請求項４記載の発明のように、一対の握り部にバネを備えることによって、握り部の開閉操作をより一層容易に行うことができることはもちろんのこと、開閉操作の微調整も容易に行うことが可能であるため、給水手段から供給される液体の流出量を任意且つ無駄なく調整することがより一層容易に行え、操作性をより一層向上させることができる。
【０００９】
ここで、一対の握り部の形状に関しては、ペンチ形状、ハサミ形状及び一方のみをリング形状にする等特に問わないが、請求項５記載の発明のように、一対の握り部の少なくとも一方を指が挿入できるような略リング形状にすることによって、ホースの流路の開閉操作中に把持具を誤って手から滑り落としたりすることを防ぐことができるとともに、操作性のより一層の向上化を図ることができる。
【００１０】
【発明の実施の形態】
以下、本発明の実施形態を図面に基づいて説明する。
【００１１】
本発明のホース把持具１の第１実施形態は、図１（イ）（ロ）に示すように、プラスチック製の一対のハンドル２ａ、２ｂと、シリコンホース３を挟むステンレス製の一対の挟持片４ａ、４ｂと、からなるペンチ型の形状をしており、ハンドル２ａ、２ｂを閉じることにより、挟持片４ａ、４ｂが閉じてシリコンホース３を挟持する構成をなしている。一対のハンドル２ａ、２ｂを閉じた際に、一対の挟持片４ａ、４ｂの間には、シリコンホース３の挟持状態を保持し且つ過度の締め付け及び液漏れを防ぐために、シリコンホース３の肉厚よりもやや狭い隙間５が形成されており、また、挟持片４ａ、４ｂには、シリコンホース３を挟持しその状態を保持した際に、挟持片４ａ、４ｂとの当接部分によってシリコンホース３を傷めないようにするための軟性樹脂６が被覆してある。一対のハンドル２ａ、２ｂには、開閉操作が容易に行えるようにバネ７が接続されており、また、ハンドル２ａ、２ｂを閉じて挟持片４ａ、４ｂによりシリコンホース３の挟持状態を保持するために、ハンドル２ａ、２ｂの一方２ｂの先端部分にはフック８ａが備えられており、他方２ａの先端部分には、フック８ａを掛け止めるための係止部８ｂが形成されている。さらに、各ハンドル２ａ、２ｂの内側には、ハンドル２ａ、２ｂの閉まる範囲を規制し、シリコンホース３が過度に挟持されることを防ぐためのストッパー部材９ａが突設してある。
【００１２】
図２（イ）（ロ）は、ホース把持具１の第２実施形態を示すもので、第１実施形態と相違するところは、一対のハンドル２ａ、２ｂの一方２ｂの形状が、人差指、中指、薬指及び小指を挿入できるように楕円状に形成してある点と、フック８ａをハンドル２ａに形成された溝８ｃに嵌合することにより、シリコンホース３の挟持状態を保持している点と、一対のハンドル２ａ、２ｂの先端部分９ｂ、９ｃを当接させることでハンドル２ａ、２ｂの閉まる範囲を規制している点と、である。このような構成にすることにより、ホース把持具１の操作が容易になることはもちろんのこと、形状がコンパクトになるため見栄えも非常に良好となる。
【００１３】
図３（イ）（ロ）（ハ）（ニ）は、実際にホース把持具１でシリコンホース３の流路を挟持している状態を示すもので、特に挟持片４ａ、４ｂ部分の拡大図を示したものである。図３（イ）は正面図であり、図３（ロ）（ハ）（ニ）は断面図である。挟持片４ａ、４ｂの厚みは、図３（ロ）のように上下同じにしてもよいし、図３（ハ）のように上下で相違させてもよい。また、図３（ニ）のように挟持片４ａの下部の形状を半円状にし、シリコンホース３との当接部分の面積を小さくすることによって、より小さな力でシリコンホース３を挟持することが可能であるため、効率良くシリコンホース３の流路の開閉操作を行うことができるとともに、シリコンホース３の流路の挟持状態をより一層容易且つ確実に保持することができる。
【００１４】
図４は、ホース把持具１を使用した第１実施形態を示すもので、給水装置１０は屋外に設置されており、給水装置１０は、液体貯蔵タンク１１と、液体貯蔵タンク１１の底位置に備えられたビニールホース１２と、下向きコの字状の架台１３と、ビニールホース１２と回転式ジョイント１４を介して接続されたシリコンホース３と、シリコンホース３の流路を開閉するホース把持具１と、から構成されている。液体貯蔵タンク１１と架台１３は一体形成されており、液体貯蔵タンク１１の上面には液体を液体貯蔵タンク１１内に補充するための口部１５が形成されており、口部１５には蓋体１６が嵌合されている。ビニールホース１２の一端は液体貯蔵タンク１１の底面にジョイント１７を介して接続され、他端部分は回転式ジョイント１４に接続されている。シリコンホース３の一端は回転式ジョイント１４に接続され、他端部分は屋内の受液容器１８に導かれている。ジョイント１７の上端は、液体貯蔵タンク１１内の液体が全て完全に流出可能なように液体貯蔵タンク１１の底面と面一になっている。架台１３は、液体貯蔵タンク１１内の液体がある程度勢いよく流出可能なように程よい高さを設けて形成してある。また、架台１３の側面には、シリコンホース３を架台１３外に導くための貫通孔１９が形成されており、屋内の壁面２０には、架台１３外に導かれたシリコンホース３を屋内に導くための、架台１３の側面に設けられた貫通孔１９とほぼ同径の貫通孔２１が形成されている。屋内に導かれたシリコンホース３の他端部分は、屋内の壁面２０に取り付けられた支持具２２によって、シリコンホース３の他端部分が下方に垂れ下がらないように支持されている。シリコンホース３の他端部分の先端にはホース把持具１が備えられており、ホース把持具１の開閉操作によって、屋外に設置された液体貯蔵タンク１１内の液体を屋内の受液容器１８内に流入することができる。この際、受液容器１８内への液体の流入量は、ホース把持具１によって目視で確認し微調整を行いながら任意に調整することができる。子供等により誤ってホース把持具１が取り外されて、液体貯蔵タンク１１内の液体が垂れ流しになることを防ぐために、ホース把持具１の他にジョイント１７の下端にネジ込み式の栓２３が備えてある。液体貯蔵タンク１１に関しては、液体が収容可能なものであれば特に問わず、例えば金属製、プラスチック製及び布製コンテナや折りたたみ式コンテナ等が挙げられる。また、液体貯蔵タンク１１は屋外に設置されているが、特にこれに限定するものではなく、屋内に設置してもよい。
【００１５】
図５は、ホース把持具１を使用した第２実施形態を示すもので、第１実施形態と相違するところは、液体貯蔵タンク１１が架台１３から取り外し可能で、液体貯水タンク１１の上面には口部１５が形成されておらず持ち手２４が備えてあり、また、屋内に導かれたビニールホース１２の支持具２２が架台２５になっている点である。液体貯蔵タンク１１を取り外し可能にすることで、液体貯蔵タンク１１のみを交換すればよく、液体貯蔵タンク１１の上部より液体を補充する手間を省くことができるため、作業者の負担を軽減することができるうえ、持ち手２４が備えてあるため液体貯蔵タンク１１の取り外し及びその後の移動作業が容易に行うことができる。また、液体貯蔵タンク１１の収容物を飲料水等にした場合には衛生的となり非常によい。さらに、液体貯蔵タンク１１は、例えばドラム缶、金属製及びプラスチック製コンテナ、折りたたみ式コンテナ、ポリバケツ、液体収容可能な布製袋等、ビニールホース１２を取り付けることが可能なものであれば特に問わず、リサイクルすることも可能であるため、低コスト化を図ることができる。
【００１６】
図６は、ホース把持具１を使用した第３実施形態を示すもので、第１及び２実施形態と大きく相違するところは、架台１３が可動式になっている点である。架台１３の下端に車輪２６が備えられており、架台１３を前後に移動させるための操作棒２７が架台１３の端から上方に向かって備えられている。このように、架台１３を可動式にすることによって、園芸関係、例えば植木鉢２８等や、農作業関係、例えば畑等の水やりを容易に行えることはもちろんのこと、水だけでなく調合肥料等も液体貯蔵タンク１１に収容できるため、移動しながら一鉢一鉢、一苗一苗にホース把持具１で流出量を微調整しながら適量の肥料を容易且つ無駄なくまくことができ、非常に利便性に優れている。架台１３に関しては、液体貯蔵タンク１１に収容した液体がある程度勢いよく流出可能な高さを保持していれば、特に問わないが、上下にリフト可能な可動型にすることで、作業を行う際は、架台１３を上方にリフトし液体貯蔵タンク１１を高い位置に移動させ作業の容易化を図ることが可能であり、架台１３を下方にリフトすれば、作業開始前及び終了後に液体貯蔵タンク１１の架台１３への積み下ろし作業の負担の軽減化を図ることができる。また、架台１３を農作業等で使用する一輪車及び二輪車の手押し車等にすることで、車などが入って行けない畑等の場所でも容易に作業が行えるうえ、新たに架台１３を購入する必要もないため、低コスト化を図ることができ非常に使用範囲にも優れている。
【００１７】
図７は、ホース把持具１を使用した第４実施形態を示すもので、第３実施形態と相違するところは、荷台２９付きの車３０の荷台２９部分に液体貯蔵タンク１１を載置してある点である。車３０の荷台２９に液体貯蔵タンク１１を載置することで、架台１３を必要とせずに、液体貯蔵タンク１１に収容した液体がある程度勢いよく流出可能な高さを容易に保持することができるとともに、公園や畑等の広い場所での散水や肥料まき等を流出量を目視で確認しながら任意に無駄なく且つ容易に行うことができる。
【００１８】
【発明の効果】
本発明のうち請求項１記載の発明によれば、柔軟性と弾力性を保有するホースの流路を容易に開閉することが可能であるため、給水手段から供給される液体の流出量を目視で確認しながら任意に調整することができ、また、ホースの流路を閉じた際に、ホースを過度に締め付け傷めることがなく、さらに、ホースの流路の挟持状態を確実に保持することができる非常に操作性及び利便性に優れたホース把持具を提供することができる。
【００１９】
本発明のうち請求項２記載の発明によれば、ホースを過度に締め付けることをより一層確実に防ぐことが可能で、ホースに傷を付けることなく、流路の挟持状態を保持することができる。
【００２０】
本発明のうち請求項３記載の発明によれば、ホースの流路を閉じ挟持状態を保持した際に、ホースと挟持部の当接部分でホースを傷めることを確実に防ぐことができる。
【００２１】
本発明のうち請求項４記載の発明によれば、ホース把持具の開閉操作がより一層容易に行えることはもちろんのこと、供給される液体の流出量の微調整も容易に行うことが可能であり、ホース把持具の操作性及び利便性をより一層向上させることができる。
【００２２】
本発明のうち請求項５記載の発明によれば、ホースの流路の開閉操作中に、誤ってホース把持具を手元から落とすことを防ぐことが可能であるため、操作性のより一層の向上化を図ることができる。
【図面の簡単な説明】
【図１】（イ）（ロ）
本発明のホース把持具の第１実施形態を示した正面図である。
【図２】（イ）（ロ）
本発明のホース把持具の第２実施形態を示した正面図である。
【図３】（イ）（ロ）（ハ）（ニ）
本発明のホース把持具の使用状態を示した一部拡大正面図と断面図である。
【図４】本発明のホース把持具を使用した第１実施形態を示した断面図である。
【図５】本発明のホース把持具を使用した第２実施形態を示した断面図である。
【図６】本発明のホース把持具を使用した第３実施形態を示した正面図である。
【図７】本発明のホース把持具を使用した第４実施形態を示した正面図である。
【符号の説明】
１  ホース把持具
２ａ    ハンドル（握り部）
２ｂ    ハンドル（握り部）
３  シリコンホース（ホース）
４ａ    挟持片（挟持部）
４ｂ    挟持片（挟持部）
５  隙間
６  軟性樹脂（保護部材）
７  バネ
８ａ    フック（保持手段）
８ｂ    係止部（保持手段）
８ｃ    溝（保持手段）
９ａ    ストッパー部材（ストッパー）
９ｂ    先端部分（ストッパー）
９ｃ    先端部分（ストッパー）
１１  液体貯蔵タンク（給水手段）
【図１】
2004190687.tif 000003
【図２】
2004190687.tif 000004
【図３】
2004190687.tif 000005
【図４】
2004190687.tif 000006
【図５】
2004190687.tif 000007
【図６】
2004190687.tif 000008
【図７】
2004190687.tif 000009